(57)【要約】【課題】  不要なアラームの発生を抑制しつつ、ＱＣトレンドの異常の検出精度を向上させる。【解決手段】  管理限界更新手段２は、データ収集手段１で収集された一定のデータ群ごとにＳＰＣ管理限界を更新し、アラーム発生手段４は、データ収集手段１で収集された検査データが管理限界内に収まっていない場合、ＱＣトレンドの異常を知らせるためのアラームを発生する。【選択図】      図１
2005093686.tif 000002
【特許請求の範囲】
【請求項１】
品質特性に関連する検査データを収集するデータ収集手段と、
前記検査データに基づいて品質管理の管理限界を更新する管理限界更新手段と、
前記品質特性のトレンドに対する前記管理限界の追従性を制御する追従性制御手段とを備えることを特徴とする品質管理装置。
【請求項２】
品質特性に関連する検査データを収集するデータ収集手段と、
前記データ収集手段で収集された一定のデータ群ごとに品質管理の管理限界を更新する管理限界更新手段と、
前記検査データが前記管理限界内に収まっているかどうかを判定する異常判定手段と、
前記異常判定手段による判定結果に基づいてアラームを発生するアラーム発生手段とを備えることを特徴とする品質管理装置。
【請求項３】
品質特性に関連する検査データを収集するデータ収集手段と、
前記検査データに基づいて所定期間ごとに品質管理の管理限界を更新する管理限界更新手段と、
前記検査データが前記管理限界内に収まっているかどうかを判定する異常判定手段と、
前記異常判定手段による判定結果に基づいてアラームを発生するアラーム発生手段とを備えることを特徴とする品質管理装置。
【請求項４】
前記品質特性のトレンドの変化量に基づいて前記管理限界の更新期間を決定することを特徴とする請求項３記載の品質管理装置。
【請求項５】
品質特性に関連する検査データを収集するステップと、
前記収集された一定のデータ群ごとに品質管理の管理限界を更新するステップと、
前記検査データが前記管理限界内に収まっているかどうかを判定するステップと、
前記判定結果に基づいてアラームを発生させるステップとを備えることを特徴とする品質管理方法。
【請求項６】
品質特性に関連する検査データを収集するステップと、
前記収集された検査データに基づいて所定期間ごとに品質管理の管理限界を更新するステップと、
前記検査データが前記管理限界内に収まっているかどうかを判定するステップと、
前記判定結果に基づいてアラームを発生させるステップとを備えることを特徴とする品質管理方法。
【請求項７】
品質特性に関連する検査データを収集するステップと、
前記収集された一定のデータ群ごとに品質管理の管理限界を更新するステップと、
前記検査データが前記管理限界内に収まっているかどうかを判定するステップとをコンピュータに実行させることを特徴とする品質管理プログラム。
【請求項８】
品質特性に関連する検査データを収集するステップと、
前記収集された検査データに基づいて所定期間ごとに品質管理の管理限界を更新するステップと、
前記検査データが前記管理限界内に収まっているかどうかを判定するステップとをコンピュータに実行させることを特徴とする品質管理プログラム。
【発明の詳細な説明】
【技術分野】
【０００１】
本発明は品質管理装置、品質管理方法および品質管理プログラムに関し、特に、製品の生産ラインなどにおけるＳＰＣ（スタティスティカル  プロセス  コントロール）に適用して好適なものである。
【背景技術】
【０００２】
従来のＳＰＣによる品質管理では、不要なアラームが発生しないようにするために、ＱＣ（クオリティーコントロール）トレンドに合わせてＳＰＣ管理限界を自動更新することが行われている。
図３は、従来のＳＰＣ管理限界の更新方法を示す図である。
図３において、製品の生産ラインなどにおける検査工程では、規格中心値ＳＣＬが設定されるとともに、良否判定の上限である規格上限値ＵＳＬおよび良否判定の下限である規格下限値ＬＳＬが設定される。さらに、ＳＰＣによる品質管理では、管理限界の上限である管理上限値ＵＣＬおよび管理限界の下限である管理下限値ＬＣＬが設定される。
【０００３】
そして、品質特性に関連する検査データＰを収集し、その検査データＰの値が管理上限値ＵＣＬおよび管理下限値ＬＣＬと比較される。そして、検査データＰの値が管理上限値ＵＣＬを超えるかまたは管理下限値ＬＣＬを下回ると、アラームを発生させることにより、ＱＣトレンドの異常を警告する。そして、ＱＣトレンドに異常が発生すると、その対策を施すことにより、大量の不良品の発生を未然に防止することができる。
【０００４】
ここで、ＱＣトレンドは様々の要因で変化するため、管理上限値ＵＣＬおよび管理下限値ＬＣＬを固定すると、不要なアラームの発生が頻繁に行われる。このため、ＱＣトレンドに合わせて管理上限値ＵＣＬおよび管理下限値ＬＣＬを自動更新することにより、必要なアラームを認識し易くすることが行われている。
また、例えば、特許文献１には、生産ラインにおける品質特性の傾向または揺らぎを早急に検知し、品質トラブルの発生を未然に防止するために、ＱＣトレンドまたはＱＣ揺らぎを検知するための管理項目として、同種類のＱＣデータ相互間の差分の絶対値または同種類のＳＰＣデータ相互間の差分の絶対値を用いる方法が開示されている。
【特許文献１】特開２００２−１４９２２２号公報
【発明の開示】
【発明が解決しようとする課題】
【０００５】
しかしながら、従来のＳＰＣ管理限界の更新方法では、ＳＰＣ管理限界の更新が１データ群ごとに行われる。このため、図３に示すように、ＱＣトレンドが徐々に悪化すると、管理上限値ＵＣＬおよび管理下限値ＬＣＬがそのＱＣトレンドに敏感に追従するようになり、ＱＣトレンドの異常が検出できなくなるという問題があった。
そこで、本発明の目的は、不要なアラームの発生を抑制しつつ、ＱＣトレンドの異常の検出精度を向上させることが可能な品質管理装置、品質管理方法および品質管理プログラムを提供することである。
【課題を解決するための手段】
【０００６】
上述した課題を解決するために、本発明の一態様に係る品質管理装置によれば、品質特性に関連する検査データを収集するデータ収集手段と、前記検査データに基づいて品質管理の管理限界を更新する管理限界更新手段と、前記品質特性のトレンドに対する前記管理限界の追従性を制御する追従性制御手段とを備えることを特徴とする。
これにより、品質特性のトレンドの変化量に応じて、品質特性のトレンドに対する管理限界の追従性を鈍化させることが可能となる。このため、品質特性のトレンドが徐々に悪化した場合においても、品質特性のトレンドの異常を検出することが可能となるとともに、一定期間後に管理限界を広げることを可能として、不要となったアラームをマスキングすることが可能となり、必要なアラームを認識し易くすることができる。
【０００７】
また、本発明の一態様に係る品質管理装置によれば、品質特性に関連する検査データを収集するデータ収集手段と、前記データ収集手段で収集された一定のデータ群ごとに品質管理の管理限界を更新する管理限界更新手段と、前記検査データが前記管理限界内に収まっているかどうかを判定する異常判定手段と、前記異常判定手段による判定結果に基づいてアラームを発生するアラーム発生手段とを備えることを特徴とする。
【０００８】
これにより、管理限界の更新を複数のデータ群ごとに行うことが可能となり、ＱＣトレンドに対する管理限界の追従性を制御することが可能となる。このため、ＱＣトレンドが徐々に悪化した場合においても、アラームを発生させることが可能となるとともに、一定数のデータ収集後に管理限界を広げることが可能となり、不要となったアラームの発生を抑制しつつ、ＱＣトレンドの異常の検出精度を向上させることが可能となる。
【０００９】
また、本発明の一態様に係る品質管理装置によれば、品質特性に関連する検査データを収集するデータ収集手段と、前記検査データに基づいて所定期間ごとに品質管理の管理限界を更新する管理限界更新手段と、前記検査データが前記管理限界内に収まっているかどうかを判定する異常判定手段と、前記異常判定手段による判定結果に基づいてアラームを発生するアラーム発生手段とを備えることを特徴とする。
【００１０】
これにより、管理限界の更新を所定期間ごとに行うことが可能となり、ＱＣトレンドに対する管理限界の追従性を制御することが可能となる。このため、ＱＣトレンドが徐々に悪化した場合においても、アラームを発生させることが可能となるとともに、一定期間後に管理限界を広げることが可能となり、不要となったアラームの発生を抑制しつつ、ＱＣトレンドの異常の検出精度を向上させることが可能となる。
【００１１】
また、本発明の一態様に係る品質管理装置によれば、前記品質特性のトレンドの変化量に基づいて前記管理限界の更新期間を決定することを特徴とする。
これにより、品質特性のトレンドが徐々に悪化した場合には、管理限界の更新期間を長くすることが可能となるとともに、品質特性のトレンドが急激に悪化した場合には、管理限界の更新期間を短くすることが可能となり、必要なアラームの選別を精度よく行うことができる。
【００１２】
また、本発明の一態様に係る品質管理方法によれば、品質特性に関連する検査データを収集するステップと、前記収集された一定のデータ群ごとに品質管理の管理限界を更新するステップと、前記検査データが前記管理限界内に収まっているかどうかを判定するステップと、前記判定結果に基づいてアラームを発生させるステップとを備えることを特徴とする。
【００１３】
これにより、ＱＣトレンドが徐々に悪化した場合においても、アラームを発生させることが可能となるとともに、一定数のデータ収集後に管理限界を広げることが可能となり、不要となったアラームの発生を抑制しつつ、ＱＣトレンドの異常の検出精度を向上させることが可能となる。
また、本発明の一態様に係る品質管理方法によれば、品質特性に関連する検査データを収集するステップと、前記収集された検査データに基づいて所定期間ごとに品質管理の管理限界を更新するステップと、前記検査データが前記管理限界内に収まっているかどうかを判定するステップと、前記判定結果に基づいてアラームを発生させるステップとを備えることを特徴とする。
【００１４】
これにより、ＱＣトレンドが徐々に悪化した場合においても、アラームを発生させることが可能となるとともに、一定期間後に管理限界を広げることが可能となり、不要となったアラームの発生を抑制しつつ、ＱＣトレンドの異常の検出精度を向上させることが可能となる。
また、本発明の一態様に係る品質管理プログラムによれば、品質特性に関連する検査データを収集するステップと、前記収集された一定のデータ群ごとに品質管理の管理限界を更新するステップと、前記検査データが前記管理限界内に収まっているかどうかを判定するステップとをコンピュータに実行させることを特徴とする。
【００１５】
これにより、品質管理プログラムをコンピュータに実行させることで、管理限界の更新を複数のデータ群ごとに行うことが可能となり、必要なアラームの選別を可能として、品質管理を容易に行うことが可能となる。
また、本発明の一態様に係る品質管理プログラムによれば、品質特性に関連する検査データを収集するステップと、前記収集された検査データに基づいて所定期間ごとに品質管理の管理限界を更新するステップと、前記検査データが前記管理限界内に収まっているかどうかを判定するステップとをコンピュータに実行させることを特徴とする。
【００１６】
これにより、品質管理プログラムをコンピュータに実行させることで、管理限界の更新を所定期間ごとに行うことが可能となり、必要なアラームの選別を可能として、品質管理を容易に行うことが可能となる。
【発明を実施するための最良の形態】
【００１７】
以下、本発明の実施形態に係る品質管理装置およびその方法について図面を参照しながら説明する。
図１は、本発明の一実施形態に係る品質管理装置の概略構成を示すブロック図である。
図１において、品質管理装置には、データ収集手段１、管理限界更新手段２、異常判定手段３およびアラーム発生手段４が設けられている。
【００１８】
ここで、データ収集手段１は、品質特性に関連する検査データを収集することができる。なお、データ収集手段１で収集される検査データとしては、例えば、ロット番号、工程名、品種あるいは完了日などの実績データ、あるいは製造工程または製造装置による処理が完了したロットの品質特性の実測データ、処理条件やメンテナンス状況などの装置データ、さらに停電、断水あるいは空調などの動力データ、さらには温度、湿度あるいは気圧などの環境データ、またはそれらを統計処理した統計データなどを挙げることができる。
【００１９】
管理限界更新手段２は、データ収集手段１で収集された一定のデータ群ごとにＳＰＣ管理限界を更新したり、データ収集手段１で収集された検査データに基づいて所定期間ごとにＳＰＣ管理限界を更新したりすることができる。そして、管理限界更新手段２には、データ収集手段１で収集されたデータ群のデータ数を計数する計数部２ａおよび時間を計時するための計時部２ｂが設けられている。なお、計数部２ａまたは計時部２ｂのいずれか一方のみ設けるようにしてもよい。
【００２０】
異常判定手段３は、データ収集手段１で収集された検査データが、管理限界更新手段２で更新された管理限界内に収まっているかどうかを判定することができる。
アラーム発生手段４は、データ収集手段１で収集された検査データが、管理限界更新手段２で更新された管理限界内に収まっていない場合、ＱＣトレンドの異常を知らせるためのアラームを発生することができる。なお、アラーム発生手段４としては、例えば、アラーム表示を画面上に行う表示装置、アラームを電子メールで送信する装置、または警告音を発生させる警報発生装置などを用いることができる。
【００２１】
これにより、管理限界更新手段２は、品質特性のトレンドの変化量に応じて、品質特性のトレンドに対する管理限界の追従性を鈍化させることが可能となる。このため、管理限界更新手段２は、品質特性のトレンドが徐々に悪化した場合においても、異常判定手段３にて品質特性のトレンドの異常を検出させることが可能となるとともに、一定期間後に管理限界を広げることが可能となり、不要となったアラームをマスキングすることが可能となる。
【００２２】
なお、データ収集手段１、管理限界更新手段２および異常判定手段３で行われる処理は、これらの機能が記述されたプログラムをコンピュータで実行させることにより実現するようにしてもよい。
図２は、本発明の一実施形態に係るＳＰＣ管理限界の更新方法を示す図である。
図２において、図１の品質管理装置には、品質管理の対象となる製品ごとに規格中心値ＳＣＬが設定されるとともに、良否判定の上限である規格上限値ＵＳＬおよび良否判定の下限である規格下限値ＬＳＬが設定される。また、ＳＰＣによる品質管理では、管理限界の上限である管理上限値ＵＣＬおよび管理限界の下限である管理下限値ＬＣＬが設定される。
【００２３】
そして、データ収集手段１にて検査データが収集されると、その検査データが管理限界更新手段２に送られる。そして、管理限界更新手段２では、データ収集手段１から検査データＰが送られると、必要に応じて統計処理が施される。
そして、計数部２ａにて、管理限界更新手段２が受け取った検査データＰのデータ数がカウントされ、その検査データＰのデータ数が一定値に達した場合、管理限界更新手段２は、それらの検査データＰの値に基づいて管理上限値ＵＣＬおよび管理下限値ＬＣＬを自動更新する。あるいは、計時部２ｂにて時間の計時が行われ、管理限界更新手段２は、所定の期間の経過時に、その期間に受け取った検査データＰの値に基づいて管理上限値ＵＣＬおよび管理下限値ＬＣＬを自動更新する。
【００２４】
例えば、図２の期間Ｔ１に受け取った検査データＰの値に基づいて期間Ｔ２の管理上限値ＵＣＬおよび管理下限値ＬＣＬを更新することができ、期間Ｔ２に受け取った検査データＰの値に基づいて期間Ｔ３の管理上限値ＵＣＬおよび管理下限値ＬＣＬを更新することができ、期間Ｔ３に受け取った検査データＰの値に基づいて期間Ｔ４の管理上限値ＵＣＬおよび管理下限値ＬＣＬを更新することができ、期間Ｔ４に受け取った検査データＰの値に基づいて期間Ｔ５の管理上限値ＵＣＬおよび管理下限値ＬＣＬを更新することができる。
【００２５】
また、期間Ｔ２の管理上限値ＵＣＬおよび管理下限値ＬＣＬは、例えば、期間Ｔ１の検査データＰの平均値の±３σ（標準偏差）にそれぞれ設定することができ、期間Ｔ３の管理上限値ＵＣＬおよび管理下限値ＬＣＬは、例えば、期間Ｔ２の検査データＰの平均値の±３σにそれぞれ設定することができ、期間Ｔ４の管理上限値ＵＣＬおよび管理下限値ＬＣＬは、例えば、期間Ｔ３の検査データＰの平均値の±３σにそれぞれ設定することができ、期間Ｔ５の管理上限値ＵＣＬおよび管理下限値ＬＣＬは、例えば、期間Ｔ４の検査データＰの平均値の±３σにそれぞれ設定することができる。
【００２６】
また、データ収集手段１にて収集された検査データＰは異常判定手段３に送られる。そして、異常判定手段３にて、その検査データＰの値が管理上限値ＵＣＬおよび管理下限値ＬＣＬと比較される。そして、検査データＰの値が管理上限値ＵＣＬを超えるかまたは管理下限値ＬＣＬを下回ると、アラーム発生手段４は、アラームを発生させることにより、ＱＣトレンドの異常を警告する。
【００２７】
例えば、図２において、期間Ｔ１の検査データＰの値に基づいて、期間Ｔ２の管理上限値ＵＣＬおよび管理下限値ＬＣＬが設定されているものとする。そして、期間Ｔ１、Ｔ２において、検査データＰの値が徐々に悪化し、期間Ｔ２において、検査データＰ１〜Ｐ３が管理上限値ＵＣＬを超えるかまたは管理下限値ＬＣＬを下回ると、アラーム発生手段４はアラームを発生させることができる。
【００２８】
ここで、管理上限値ＵＣＬおよび管理下限値ＬＣＬは期間Ｔ１〜Ｔ５ごとに更新され、期間Ｔ２において、検査データＰの値が徐々に悪化した場合においても、期間Ｔ２では、管理上限値ＵＣＬおよび管理下限値ＬＣＬを一定値に維持することができる。このため、期間Ｔ２においては、管理上限値ＵＣＬが検査データＰ１、Ｐ３の値を上回ったり、管理下限値ＬＣＬが検査データＰ２の値を下回ったりすることを防止することが可能となり、検査データＰ１〜Ｐ３でのアラームが見えなくなることを防止することができる。
【００２９】
また、期間Ｔ３では、期間Ｔ２の検査データＰの値に基づいて、管理上限値ＵＣＬおよび管理下限値ＬＣＬを更新することができる。このため、検査データＰ１、Ｐ３の値を上回るように管理上限値ＵＣＬを設定することが可能となるとともに、検査データＰ２の値を下回るように管理下限値ＬＣＬの値を設定することが可能となる。この結果、期間Ｔ３において、検査データＰ１〜Ｐ３と同様な異常を示す検査データＰ４〜Ｐ６が収集された場合においても、検査データＰ４〜Ｐ６でのアラームの発生を防止することが可能となり、同様な異常に起因するアラームが頻繁に行われることを防止して、必要なアラームが埋もれて見えなくなることを防止することができる。
【００３０】
さらに、期間Ｔ５では、期間Ｔ４の検査データＰの値に基づいて、管理上限値ＵＣＬおよび管理下限値ＬＣＬを更新することができる。このため、検査データＰ１〜Ｐ３によるアラームに基づいて製造工程の改善が行われ、期間Ｔ４において、検査データＰの値が改善されると、期間Ｔ５の管理上限値ＵＣＬおよび管理下限値ＬＣＬを厳しくすることができる。
【００３１】
このため、期間Ｔ５以降において、期間Ｔ２の検査データＰ１〜Ｐ３によるアラーム発生時の異常と同様な異常が再び発生した場合においても、その異常を再び検知することを可能として、アラームを発生させることが可能となる。
【図面の簡単な説明】
【００３２】
【図１】本発明の一実施形態に係る品質管理装置の概略構成を示すブロック図。
【図２】本発明の一実施形態に係るＳＰＣ管理限界の更新方法を示す図。
【図３】従来のＳＰＣ管理限界の更新方法を示す図。
【符号の説明】
【００３３】
１  データ収集手段、２  管理限界更新手段、２ａ  計数部、２ｂ  計時部、３  異常判定手段、４  アラーム発生手段
【図１】
2005093686.tif 000003
【図２】
2005093686.tif 000004
【図３】
2005093686.tif 000005